(57)【要約】【課題】ソーラーシステムハウスにおいて、瓦の表面で効率よく太陽熱を吸収し、裏面で集熱用循環空気に対して効率よく放熱する熱交換率のよい集熱アルミ瓦を提供すること。【解決手段】集熱アルミ瓦は、アルミ瓦の本体部１と本体部１の表面に形成された複数の突条２と、裏面に立設された複数の凸部３とを有していて、突条２と凸部３は、本体部１と一体的に形成されている。  従って、集熱アルミ瓦は、表面で太陽熱を効率よく吸収し、裏面の凸部３に伝達し、凸部３から集熱用循環空気に効率よく放熱する構成となっている。【選択図】図５
2005290933.tif 000002
【特許請求の範囲】
【請求項１】
屋根上に複数枚葺き合わせて使用するアルミ瓦であって、
屋根を覆う本体部と、
該本体部の裏面に互いに間隔を隔てて立設された複数の凸部と、を具備することを特徴とする集熱アルミ瓦。
【請求項２】
前記凸部は板状のフィンであり、該フィンの面は前記本体部の上端側から下端側に向かう方向に平行に形成され、かつ、複数の前記フィンが千鳥状に配置されていることを特徴とする請求項１記載の集熱アルミ瓦。
【請求項３】
前記凸部は円柱形または楕円柱形のピンであることを特徴とする請求項１記載の集熱アルミ瓦。
【請求項４】
前記フィンまたは前記ピンは、その高さが同一であることを特徴とする請求項２または３記載の集熱アルミ瓦。
【請求項５】
前記フィンまたは前記ピンは、その高さが尻部と頭部で異なり、尻部から頭部にかけて一定の傾斜をつけて形成されていることを特徴とする請求項２または３記載の集熱アルミ瓦。
【請求項６】
前記本体部の表面は、平面であることを特徴とする請求項１〜５記載の集熱アルミ瓦。
【請求項７】
前記本体部の表面は、複数の突条が前記本体部の上端側から下端側に向かって形成されていることを特徴とする請求項１〜５記載の集熱アルミ瓦。
【請求項８】
前記突条は、断面形状が半円形、台形または矩形であることを特徴とする請求項７記載の集熱アルミ瓦。
【請求項９】
前記本体部の表面は、半球形、小判形、円柱形または楕円柱形の複数の突起が形成されていることを特徴とする請求項１〜５記載の集熱アルミ瓦。
【請求項１０】
前記本体部の表面は、複数の凹状の溝が前記本体部の上端側から下端側に向かって形成されていることを特徴とする請求項１〜５記載の集熱アルミ瓦。
【請求項１１】
前記本体部の表面は、波形模様、風紋状模様あるいはディンプル模様が形成されていることを特徴とする請求項１〜５記載の集熱アルミ瓦。
【請求項１２】
前記アルミ瓦は、同一形状のものを横または縦に複数枚連続して形成した多連式瓦であることを特徴とする請求項１〜１１記載の集熱アルミ瓦。
【請求項１３】
前記アルミ瓦は、異なる形状のものを横または縦に複数枚連続して形成した多連式瓦であることを特徴とする請求項１〜１１記載の集熱アルミ瓦。
【請求項１４】
前記アルミ瓦は、前記本体部に連続して差込み部と桟部が延設されていて、屋根上に葺き合わせたとき、該桟部が同一段の隣接する前記アルミ瓦の差込み部を密着して覆い、該差込み部が同一段の隣接する前記アルミ瓦と反対側の前記アルミ瓦の桟部により密着して覆われる構成であることを特徴とする請求項１〜１３記載の集熱アルミ瓦。
【請求項１５】
前記アルミ瓦は、屋根上に葺き合わせたとき、尻部が上段に葺き合わした前記アルミ瓦の頭部により密着して覆われる構成であることを特徴とする請求項１〜１４記載の集熱アルミ瓦。
【請求項１６】
前記アルミ瓦は、屋根上に葺き合わせたとき、該アルミ瓦を固定する固定枠と該アルミ瓦の前記本体部裏面との間に空気流通空間が確保される構成であることを特徴とする請求項１〜１５記載の集熱アルミ瓦。
【発明の詳細な説明】
【技術分野】
【０００１】
本発明は、屋根瓦の表面に太陽熱を吸収する集熱用構造体が形成され、裏面にソーラーシステムハウスの集熱用循環空気に対して放熱する放熱用構造体が形成されていることにより瓦の太陽熱集熱効率を向上させたアルミ瓦に関する。
【背景技術】
【０００２】
屋根にふりそそぐ太陽熱により熱せられた瓦の熱を建物内で循環する空気により集熱して、温水等で蓄熱し、冷暖房等に使用することで太陽エネルギーを有効に利用しようとするシステムが考えられている。
図１４は上記システムの１例を示すもので、瓦は一般の陶器瓦が使用されている。図１４のシステムでは、屋根上に敷きつめられた陶器瓦と野地板間の空間が集熱用循環空気の集熱通路６２となっており、循環空気は太陽熱を吸収してあたたかくなった陶器瓦の裏面の熱を吸収することで熱せられて、集熱通路６２の中を矢印のように屋根の上方へと上昇する構成となっている。
屋根の下方から上方へと上昇してきたあたためられた循環空気は、屋根の最上部に設けられた棟ダクト６４に集められ、熱交換器６５により立ち下がりダクト６７を経由して床下へと送られる。床下や壁面には、蓄熱装置（図示せず）が設けられていて、屋根の瓦であたためられた循環空気の熱が蓄熱される。また、循環空気の一部は床の吹出口６９から室内に流れ出し室内の暖房として利用された後、部屋の上部に設けられた室内空気循環口６８から回収されて熱交換器を経由して循環通路６３へと送られる。
上記システムで陶器瓦は、瓦の表面で太陽熱を吸収し、裏面で集熱用循環空気に対して放熱する機能をもっている。
【発明の開示】
【発明が解決しようとする課題】
【０００３】
しかしながら、従来一般に使用されている陶器瓦では熱伝導率がよくないため、太陽熱を集熱して集熱用循環空気に対して放熱する熱交換率（熱伝導性）の点で効率がよいとはいえない。
また、陶器瓦の他に金属製の瓦なども存在するが上記のソーラーシステムハウス用に熱交換率を考慮しているものではない。
本発明は上記の実状に鑑み開発されたもので、ソーラーシステムハウスにおいて、瓦の表面で太陽熱を効率よく吸収し、裏面で集熱用循環空気に対して効率よく放熱する熱交換率のよいアルミ瓦を提供することを課題としている。
【課題を解決するための手段】
【０００４】
このような課題を解決するための手段として、請求項１の発明は、屋根上に複数枚葺き合わせて使用するアルミ瓦において、アルミ瓦は屋根を覆う本体部と、本体部の裏面に互いに間隔を隔てて立設された複数の凸部とが形成されている構成とした。
アルミ瓦の本体部と裏面の凸部とが一体的に形成されているので、太陽熱であたためられたアルミ瓦の表面の熱が、本体部を経由して効率よく裏面の凸部に伝導され、立設している多数の凸部から集熱用循環空気に対して放熱されることとなる。
【０００５】
請求項２の発明は、アルミ瓦の裏面に立設されている凸部が複数の板状のフィンであって、そのフィンの向きは図２に示されているように、瓦の上端側から下端側に向かう方向と平行になっていて、かつ、千鳥状に配置されている構成としている。
多数の板状のフィンを上記のように形成することで瓦裏面の放熱面積が大きくなり、フィンの周辺を通過する集熱用循環空気に対する瓦の放熱効率を上げることとなる。さらに、フィンの向きは通過する集熱用循環空気の流れを妨げることがないように通気方向に対して平行に立設されている。しかし、集熱用循環空気に対する瓦の放熱効率を上げるという目的からは、集熱用空気を単なる層流ではなく乱流として空気の流速を遅くしてフィンから集熱用空気への放熱効率を上げことが必要である。そのため、フィンを千鳥状に配置して乱流を作り出すという方法をとっている。
【０００６】
請求項３の発明は、請求項１記載の集熱アルミ瓦において、アルミ瓦の裏面に立設されている凸部が複数の円柱形または楕円柱形のピンで構成されているものである。円柱状のピンで形成されている場合を図９に示している。
裏面に立設されている凸部を上記のように形成することで瓦裏面の放熱面積が大きくなるので、凸部の周辺を通過する集熱用循環空気に対する瓦の放熱効率を上げることができる。
【０００７】
請求項４の発明は、アルミ瓦の裏面に立設されている凸部がフィンや円柱形または楕円柱形のピンで形成されているものであるが、アルミ瓦本体部の裏面からの高さが同一の場合である。
アルミ瓦本体部の裏面に立設されている放熱用の凸部の高さが同一なので、屋根上にアルミ瓦を葺き合わせたとき、図１１に示されているように凸部の先端は集熱アルミ瓦１０と隔壁１３とで形成された集熱用循環空気の空気通路１２の下辺部分（隔壁の近傍）に達し、空気通路１２を通過する集熱用循環空気に凸部全体が均等に曝される結果、アルミ瓦の熱を効率よく放熱することとなる。
【０００８】
請求項５の発明は、アルミ瓦の裏面に立設されているフィンや円柱形あるいは楕円柱形のピンのアルミ瓦本体部の裏面からの高さが瓦の尻部と頭部で異なっていて、尻部から頭部にかけて一定の傾斜を持った構成となっているものである。
アルミ瓦本体部の裏面に立設されている放熱用のフィンや円柱形あるいは楕円柱形のピンの高さに傾斜を持たせることにより、図１２に示すように、集熱用循環空気が通過する空気通路１２を野地板９と屋根上に葺き合わせた集熱アルミ瓦２０とで構成することができる。この場合は空気通路１２を形成するとき隔壁を設ける必要がないので隔壁の材料費の削減や施工費の低減につながる。
【０００９】
請求項６の発明は、請求項１〜５記載の集熱アルミ瓦において、本体部の表面は平面で構成されているものである。
従って、屋根上に葺き合わせたときには、外観上通常の瓦と同じであるが裏面に放熱用凸部が形成されているので集熱瓦として優れた特性をもっている。
【００１０】
請求項７及び請求項８の発明は、請求項１〜５記載の集熱用アルミ瓦において、本体部の表面に、本体部の上端側から下端側に向かう方向に複数の突条がそれぞれ平行に形成されている構成とした。それらの突条は、断面形状が半円形、台形または矩形で形成されるのが好ましい。
瓦の表面に突条が形成されることにより従来の表面が平面的に形成されている瓦に比較して太陽光の当たる表面積が多くなるので瓦の太陽熱の集熱効果が高まり、本体部を経由して裏面の立設している凸部に、より多くの熱が伝導されるので集熱アルミ瓦としての性能が向上する。
【００１１】
請求項９の発明は、請求項１〜５記載の集熱アルミ瓦において、本体部の表面上に半球形、小判形、円柱形または楕円柱形の突起を多数形成したものである。
この表面構造も、表面積を大きくするために上記の突起物を形成しているもので、瓦の表面の表面積を広くすることで平面状のアルミ瓦と比較して太陽光が当たる面積が広くなり太陽熱をより多く集熱することができる。
【００１２】
請求項１０の発明は、請求項１〜５記載の集熱アルミ瓦において、本体部の表面上に複数の凹状の溝が本体部の上端側から下端側に向かって形成されている構成としている。
この表面構造も、表面積を大きくするために上記の溝を形成しているもので、瓦の表面の表面積を広くすることで平面状のアルミ瓦と比較して太陽光が当たる面積が広くなり太陽熱をより多く集熱することができる。
【００１３】
請求項１１の発明は、請求項１〜５記載の集熱アルミ瓦において、本体部の表面上に波形状模様、風紋状模様あるいはディンプル状模様のいずれかが形成されている構成としている。
これらの模様が形成されることで、太陽光の当たる表面積が広くなるので太陽熱をより多く集熱することができる。
【００１４】
請求項１２の発明は、請求項１〜１１記載の集熱アルミ瓦において、同一形状のものを横または縦に複数枚連続して形成した多連式の構成としたものである。
アルミ瓦は従来の陶器瓦に比較すると、同じ大きさで約１／４の重量である。
また、強度は約２倍である。従って、多連式とすることで瓦製作および施工における効率化を図ることができる。
【００１５】
請求項１３の発明は、請求項１〜１１記載の集熱アルミ瓦において、異なる形状のものを横または縦に複数枚連続して形成した多連式の構成としたものである。
前述のように、アルミ瓦は重量や強度の点から多連瓦とする効果は大きい。異なる形状のものを組み合わせた多連瓦であっても、施工における効率化を図ることができる。
【００１６】
請求項１４及び請求項１５の発明は、前記の請求項１〜１３記載の集熱用アルミ瓦において、本体部に連続して差込み部と桟部が延設されていて、屋根上に葺き合わせたとき、桟部が同一段の隣接するアルミ瓦の差込み部を密接して覆い、かつ、差込み部は、同一段の反対側の隣接するアルミ瓦の桟部によって密接して覆われる構成となっている。さらに、アルミ瓦の尻部は、上段に葺き合わせたアルミ瓦の頭部により密着して覆われる構成となっている。
従って、同一段に葺き合わせた瓦は桟部と差込み部を密着して重ね合わせた状態となり、さらに、尻部は上段に葺き合わせた瓦の頭部により密着して覆われるので、瓦の裏面から表面にあたためられた集熱用循環空気が漏れにくい構造となっている。
【００１７】
請求項１６の発明は、前記の請求項１〜１５記載の集熱用アルミ瓦において、アルミ瓦を屋根上に葺き合わせるときは、図５に示されているように野地板上の桁方向（屋根の勾配方向と垂直をなす方向）に差し渡し固定されている瓦固定枠１１に瓦の尻部に形成されている釘穴８を通してボルト（またはネジ）で固定される。このとき、固定されたアルミ瓦本体部裏面と瓦固定枠の間は、集熱用循環空気が通過することが可能なように空気流通空間が確保される構成となっている（図６参照）。
従って、屋根の下方から空気通路１２を上昇してきた集熱用循環空気は瓦固定枠１１に遮られることなく、上段に葺き合わされたアルミ瓦の空気通路へと上昇していくことができる。
【発明の効果】
【００１８】
本発明は以上説明したものであるから、次に述べるような効果がある。
集熱アルミ瓦の材質としては熱伝導率のよいアルミ合金を使用し、かつ、瓦の本体部の表面と裏面に、例えば突条からなる集熱効果を高める突起物とフィンからなる放熱効果を高める凸部が形成されていて、さらに、集熱アルミ瓦の裏側に直に集熱用空気の通路を形成しても集熱用空気が外部に漏れにくく、また、集熱用空気が空気通路を下部から上部へと滞りなく流れる瓦の構造としたので、従来の瓦に比較して太陽熱の集熱効果が高まり、さらに集熱用空気に対する放熱効果も著しく向上した集熱アルミ瓦となっている。
また、集熱アルミ瓦を多連構成とした場合には、製作および施工時の効率が上がるので、より安価な集熱アルミ瓦を提供することが可能となる。
【発明を実施するための最良の形態】
【００１９】
以下、本発明を実施するための最良の形態を図に基づいて説明する。
図１は、本発明に係る実施の形態の基本的な集熱アルミ瓦の構造図で、単体の集熱アルミ瓦を表面から見た斜視図であり、図２は図１の集熱アルミ瓦を裏面から見た斜視図である。
図１および図２に示すように、集熱アルミ瓦１０は本体部１と差込み部５と桟部６と表面の突条２と裏面の凸部３とから構成されている。
図１及び図２の集熱アルミ瓦１０は、本体部１の表面の突条２として、断面形状が山形の複数の突条が本体部１の尻部７から頭部６にかけて等間隔で形成されていて、裏面の凸部３として多数の板状のフィンが形成されている場合を示している。そして、突条２と凸部３は本体部１と一体的に形成されている。
図１の集熱アルミ瓦１０を勾配が３０°の屋根上に葺き合わせた時の状態を図１１に屋根の勾配方向の断面形状で示す。
図１１において、複数の集熱アルミ瓦１０はボルト（またはネジ）で瓦固定枠１１に固定されており、葺き合わせた集熱アルミ瓦１０の裏面側には、集熱アルミ瓦１０と隔壁１３とで囲まれた集熱用循環空気の空気通路１２が屋根に沿って形成されていて、空気通路１２内の集熱用循環空気は屋根の下部において、集熱アルミ瓦１０の熱により暖められて空気通路１２を屋根の上部へと上昇してくる構成となっている。
このとき、葺き合わせた集熱アルミ瓦１０の裏面の凸部３である多数のフィンは、空気通路１２に下向きに張り出した構成となっているがフィンの向きは通過する集熱用循環空気の流れを妨げることがないように、フィンの面が通気方向と平行になるように立設されている。
さらに、フィンを千鳥状に配置し、集熱用循環空気の流れを乱流にして集熱用循環空気の流れを遅くすることにより、フィンから集熱用循環空気への放熱効率を上げている。
【００２０】
なお、本体部１の裏面に形成されている凸部３は円柱形または楕円柱形のピンで形成したものでもよい。図３に瓦を裏面からみた斜視図で凸部３が円柱形のピンで形成された集熱アルミ瓦の例を図示している。
また、凸部３は上記のフィンや円柱形または楕円柱形のピンに限定されるものではなく、瓦裏面の放熱面積を広くして集熱用循環空気に対して瓦の放熱効率を上げる構造物であればよい。例えば、複数の半円形の小さい突起物、流線型の翼状のフィン等を形成したものでもよい。
【００２１】
集熱アルミ瓦１０の表面には、複数の断面形状が山形の突条が形成されているので単なる平坦な表面からなる瓦に比較して表面積が大きくなる。従って、太陽光の当たる面積が広くなるので太陽熱の集熱効率を高める効果がある。また、突条は瓦を屋根上に葺き合わせたときの勾配方向に直線状に形成されているので降雨時等に雨水の流れを妨げることはなく瓦本来の機能を低下させることもない。なお、突条の向きは、図１の場合は勾配方向に平行な直線であるが、これに限定されるものではなく、突条の向きが瓦の上から下へ斜めに形成されたもの、あるいは曲線を描いているものでもよい。
【００２２】
なお、集熱アルミ瓦１０の表面は、凹状の溝が本体部の上端側から下端側に向かって形成されているもの、あるいは、半球形、小判形、円柱形または楕円柱形等のいずれかの突起が複数形成されているもの、さらには、波形模様、風紋状模様あるいはディンプル模様が形成されているものでもよい。
図４は、円柱形の高さの低い突起９が形成されている表面形状を図示したものである。
集熱アルミ瓦の表面形状は、太陽光の当たる面積を広くして瓦の集熱効率を上げること         が目的なので、瓦本来の機能（雨水を滞りなく流すこと）を妨げるものでなければ前述の形状に限定されるものではない。
【００２３】
集熱アルミ瓦１０の表面は、さらに、平面とすることもできる。
【００２４】
集熱アルミ瓦１０の製作は、本体部１と表面の突条２と裏面の凸部３が同一の材料で一体的に形成されているのでダイカストで製造される。
【実施例１】
【００２５】
図１及び図２に示した集熱アルミ瓦１０の実施例について述べる。
集熱アルミ瓦１０は、本体部１と表面の突条２と裏面の凸部３とはアルミダイカスト用のアルミ合金（ＡＤＣ−１相当）を使用している。
アルミ合金（ＡＤＣ−１）は、図１３に示すように、陶器製瓦や他の金属製瓦（軟銅やステンレス）に比較して熱伝導率がよいので太陽熱を瓦表面で集熱して裏面で放熱する上で陶器製瓦や他の金属製瓦より効率が極めてよい材質である。
なお、本実施例１では、アルミ瓦の材質としてＡＤＣ−１を使用しているが、材質としてはＡＤＣ−１に限定されるものではなく、ＡＤＣ−１０、ＡＤＣ−１２など、強度、重量、熱伝導率および加工のし易さ等を考慮して選定したものであればよい。
【００２６】
次に、集熱アルミ瓦１０の寸法を図５および図６に示す。図５は集熱アルミ瓦１０を表面からみた平面図と側面図である。図６は図５の集熱アルミ瓦１０を裏面からみた平面図と側面図である。
図５および図６において、集熱アルミ瓦１０の縦方向の長さＬは３５０ｍｍ、横幅Ｗは３３８ｍｍ、高さＨは２７ｍｍである。
本体部１の表面に形成されている突条２の長さａは２１０ｍｍで、幅は６ｍｍ、高さは３ｍｍで断面形状は半円形である（図５のＡ部Ｘ−Ｘ断面拡大図参照）。
裏面に形成されている凸部３であるフィンの長さｂは４０ｍｍ、厚さｔは２．５ｍｍ、高さｈは１２ｍｍであり、図６の平面図に示すように千鳥状に配列されている。本発明の集熱アルミ瓦はアルミダイカストで製造されるので、実施例１のように凸部３を板状の フィンで形成する場合は、フィンは図５のＡ部Ｘ−Ｘ断面拡大図に示されているように本体部１と結合する根元部分は厚くて先端が薄い抜勾配の構造となっている。
なお、集熱アルミ瓦１０の重量は約１Ｋｇである。
【００２７】
次に、集熱アルミ瓦１０を屋根上に葺き合わせた状態を図７及び図８に示す。図７は、平面図であり、図８は図７の上段と下段の瓦の葺き合わせ部の断面図である。
図７において、集熱アルミ瓦Ｋ１とＫ２は同一段に葺き合わせた瓦であり、Ｋ３とＫ４は、その上段に葺き合わせた瓦である。Ｋ１の差込み部４は隣接のＫ２の桟部５により覆われ、重ね合わされて、釘穴８を挿通しているボルト（図示せず）により野地板１５に取り付けられている瓦固定枠１１に固定される。このようにして順次隣接の瓦を重ね合わしてＫ１、Ｋ２と同一段の瓦が葺き上げられる。
次に、図７及び図８に示すように、上段の瓦Ｋ３の下向きに湾曲した頭部６が、Ｋ１及びＫ２の尻部７を密着して覆うように重ね合わせ、瓦Ｋ３をボルト（図示せず）により瓦固定枠１１に固定する。このようにして、Ｋ３、Ｋ４の順に葺き合わせていく。
上記のように、集熱アルミ瓦１０を葺き合わせた場合、瓦裏面のフィンの先端と隔壁１３との間隔は５ｍｍとしている。また、尻部７の内側先端と隔壁１３との間隔も１０ｍｍを確保する瓦構造としているので、図８の断面図で矢印で示すように集熱用循環空気は、滞ることなく空気通路１２を上方へとフィンの熱を吸収して暖められながら上昇していく構成となっている。
【００２８】
（実施例１の変形態様１）
実施例１の集熱アルミ瓦は、図１１に示すように屋根の野地板１５と葺き合わせた集熱アルミ瓦１０との間に隔壁１３を設けて集熱用空気の通路を絞り込んだ空気通路１２を対象としたものであるが、瓦と野地板との間に隔壁等は設けず、図１２に示すように、屋根上に葺き合わせた瓦と野地板との間をすべて集熱用空気の通路とする方法もある。本変形態様の集熱アルミ瓦はそのような集熱用空気の通路を対象としたものである。
本変形態様の集熱アルミ瓦２０は、請求項５に記載の発明に係わる集熱アルミ瓦であり、裏面の平面図と側面図を図９に示す。表面は図示していないが実施例１のアルミ瓦１０と同じ構成（図５参照）である。
本変形態様の集熱アルミ瓦２０が実施例１の集熱アルミ瓦１０と異なる点は、凸部３であるフィンの高さで、集熱アルミ瓦１０のフィンの高さは全て同じ高さであるのに対して、集熱アルミ瓦２０の場合は、上端側のフィンと下端側のフィンの高さが異なり一定の傾斜がつけられていることである。
すなわち、最も高いフィンは、上端側（頭部６側）のフィンでその高さは本体部１の裏面から５０ｍｍである。下端側（尻部７側）のフィンが最も低くなっており、上端側のフィンから下端側のフィンにかけて直線的に一定の傾斜がつけられている。このため、図１２に示すように本変形態様のアルミ瓦２０を葺き合わせたとき、すべてのフィンの先端は、集熱用空気の通路の下辺である野地板１５の近くまで張り出している。従って、集熱用空気に対して効率よく瓦の熱を伝達することができる構造となっている。
集熱アルミ瓦２０の寸法は、縦方向の長さＬは３５０ｍｍ、横幅Ｗは３３８ｍｍ、フィンの長さｂは４０ｍｍ、本体部１の表面からの高さＨ２は３９ｍｍ、Ｈ３は６２ｍｍである。
【実施例２】
【００２９】
実施例２を図１０に示す。実施例２は請求項１２に記載の発明に係る集熱アルミ瓦で同一形状の瓦を横に２枚連続して形成した２連瓦の場合である。図１０は集熱アルミ瓦５０を表面からみた斜視図である。
集熱アルミ瓦５０は、本体部１の表面に断面形状が台形の突条２が形成された瓦を横に２枚連なった形で金型で一体成形で製作したものである。裏面には凸部３（図示せず）が形成されていて、横方向外形寸法Ｗｔは６４０ｍｍ、縦方向外形寸法Ｌｔは３４５ｍｍである。
アルミ瓦は陶器瓦に比較すると軽く、約１／４の重量で、強度の点では陶器瓦の２倍の強度があるので、２連瓦あるいは２連以上の多連瓦とすることが可能で多連瓦とすることで製作および施工時の効率を向上させることができる。
なお、実施例２は、同一形状の瓦を横に複数枚連続して形成したものであるが、同一形状の瓦を縦に複数枚連続して形成してもよい。縦に複数枚連続して形成した多連瓦は、製作および施工時の効率を向上させるとともに、上段と下段の瓦の葺き合わせ部が少なくなるので雨水進入防止や風による瓦の吹き上げ防止の効果が大きいという利点もある。
【００３０】
また、実施例２では、同一形状の瓦を横または縦に複数枚連続して形成しているが、異なる形状の瓦を横または縦に複数枚連続して形成した多連瓦としてもよい。屋根の構造が寄せ棟である場合などは、同一形状の瓦だけで多連瓦とすることは難しく異なる形状の瓦を組み合わせる必要もある。
異なる形状の瓦を組み合わせるので、製造上は単瓦の製造と比較して手間や費用の点ではあまり効果は期待出来ないものの、施工上及び機能上は多連瓦とする効果は大きい。
【図面の簡単な説明】
【００３１】
【図１】本発明の実施の形態の説明図で集熱アルミ瓦の表面斜視図である。
【図２】図１の裏面斜視図である。
【図３】実施の形態の説明図で集熱アルミ瓦の裏面斜視図である。
【図４】実施の形態の説明図で集熱アルミ瓦の表面斜視図である。
【図５】実施例１の表面の平面図および側面図である。
【図６】実施例１の裏面の平面図および側面図である。
【図７】実施例１の瓦を葺き合わせた平面図である。
【図８】図７の部分断面図である。
【図９】実施例１の変形態様１の裏面の平面図および側面図である。
【図１０】実施例２の集熱アルミの表面の斜視図である。
【図１１】実施の形態の説明図で集熱アルミ瓦を葺き合わせたときの断面図である。
【図１２】実施例１の変形態様１の集熱アルミ瓦を葺き合わせたときの断面図である。
【図１３】瓦の材質と熱伝導率の関係図である。
【図１４】ソーラーシステムハウスの説明図である。
【符号の説明】
【００３２】
１：本体部                  ６４：棟ダクト
２：突条                    ６５：熱交換器
３：凸部                    ６６：ダンパー
４：差込み部                ６７：立下がりダクト
５：桟部                    ６８：室内空気循環口
６：頭部                    ６９：吹出口
７：尻部                    Ｋ１，Ｋ２，Ｋ３，Ｋ４：集熱アルミ瓦１０
８：釘穴
９：円柱形突起
１０，２０，３０，４０，５０：集熱アルミ瓦
１１：瓦固定枠
１２：空気通路
１３：隔壁
１４：防水シート
１５：野地板
６０：ソーラーシステムハウス
６１：瓦
６２：集熱通路
６３：循環通路
【図１】
2005290933.tif 000003
【図２】
2005290933.tif 000004
【図３】
2005290933.tif 000005
【図４】
2005290933.tif 000006
【図５】
2005290933.tif 000007
【図６】
2005290933.tif 000008
【図７】
2005290933.tif 000009
【図８】
2005290933.tif 000010
【図９】
2005290933.tif 000011
【図１０】
2005290933.tif 000012
【図１１】
2005290933.tif 000013
【図１２】
2005290933.tif 000014
【図１３】
2005290933.tif 000015
【図１４】
2005290933.tif 000016